(57)【特許請求の範囲】
【請求項１】
プラテンガラス等の透明な原稿台に原稿を載せて原稿の画像を露光記録する画像記録装置に用いられ、原稿を原稿台上へ押さえる原稿押さえ装置において、
前記原稿の一端部と当接して原稿台上で原稿の位置決めをなす基準部を有する位置決め部材と、
前記原稿を原稿台上に押さえる押さえ部を先端部に有する押さえ部材と、
前記位置決め部材に押さえ部材を支持し、押さえ部材を原稿台の台面に沿った方向へ直線的に移動自在として押さえ部を基準部から原稿台内方へ突出させた第１位置と、押さえ部を基準部まで引っ込ませて押さえ部で基準部の一部をなす第２位置とを得るとともに、押さえ部材を回動自在として押さえ部を原稿台との対向方向に沿って移動可能とする支持手段と、
前記押さえ部材と位置決め部材との間に設けられ、押さえ部で原稿を押さえる向きに押さえ部材を回動付勢する付勢手段と、
前記付勢手段による付勢力で、押さえ部材を第１位置と第２位置とに保持する保持手段と、
を備えたことを特徴とする原稿押さえ装置。
【発明の詳細な説明】
【０００１】
【産業上の利用分野】
本発明は、プラテンガラス等の透明な原稿台に原稿を載せて原稿の画像を露光記録する画像記録装置に用いられ、原稿を原稿台上へ押さえる原稿押さえ装置に関する。
【０００２】
【従来の技術及び発明が解決しようとする課題】
複写機としては、プラテンガラスに原稿を載せ、下方から光を照射して原稿の画像を反射光で感光材料へ走査露光し、露光後、受像紙を供給してそれを感光材料と重ね合わせて熱現像転写し、その後、受像紙を感光材料から剥離させてなるものがある。
【０００３】
このような複写機では、プラテンガラスを上から覆うプラテンカバーが開閉可能に設けられ、プラテンカバーを閉じることによりプラテンカバーで原稿を押さえ付けるようにしている。
【０００４】
原稿は、この一端部を基準部に当接させて、プラテンガラス上で位置決めが行われるが、原稿がシート状の薄手のものである場合には、プラテンカバーで原稿を押さえる際に、プラテンカバーが閉まるときに発生する風圧等によって原稿が動き、原稿の位置ずれが起きる場合がある。
【０００５】
そこで、プラテンカバーを閉めてプラテンカバーで原稿を押さえようとするときに、原稿がずれないようにプラテンカバーとは別途に、原稿を押さえておくことが望ましく、プラテンカバーとは別途に、原稿を押さえる押さえ板を設ければよい。しかし、原稿がブック状のような厚手のものである場合には、その押さえ板が邪魔になる。
【０００６】
そのために、押さえ板をプラテンガラス上にある位置からプラテンガラスから退避する位置へ移動させるものがある。
【０００７】
例えば、特開平３−２４２６３５号公報には、押さえ板を上下方向線回りに回動させる構造、また、押さえ板を水平方向線回りに回動させる構造が示されてる。しかし、そのような構造では、押さえ板の移動が円弧軌動をとって移動量が大きくなる等、操作性が悪い。また、押さえ板がただそれだけのためにあり、押さえ板の分のスペースが別途に必要となっている。
【０００８】
本発明は、上記事情に鑑み、操作性を向上して原稿を位置決めされた位置に確実に押さえ、また、発揮する機能は押さえる機能だけでなく、更に、省スペース化も果たす画像記録装置の原稿押さえ装置を提供することを目的とする。
【０００９】
【課題を解決するための手段】
請求項１に記載の本発明の画像記録装置の原稿押さえ装置は、
プラテンガラス等の透明な原稿台に原稿を載せて原稿の画像を露光記録する画像記録装置に用いられ、原稿を原稿台上へ押さえる原稿押さえ装置において、
前記原稿の一端部と当接して原稿台上で原稿の位置決めをなす基準部を有する位置決め部材と、
前記原稿を原稿台上に押さえる押さえ部を先端部に有する押さえ部材と、
前記位置決め部材に押さえ部材を支持し、押さえ部材を原稿台の台面に沿った方向へ直線的に移動自在として押さえ部を基準部から原稿台内方へ突出させた第１位置と、押さえ部を基準部まで引っ込ませて押さえ部で基準部の一部をなす第２位置とを得るとともに、押さえ部材を回動自在として押さえ部を原稿台との対向方向に沿って移動可能とする支持手段と、
前記押さえ部材と位置決め部材との間に設けられ、押さえ部で原稿を押さえる向きに押さえ部材を回動付勢する付勢手段と、
前記付勢手段による付勢力で、押さえ部材を第１位置と第２位置とに保持する保持手段と、
を備えた構成を特徴とする。
【００１０】
【作用】
上記構成によれば、原稿がシート状の薄手のものである場合には、まず、押さえ部材を第２位置から第１位置へ移動させて押さえ部を原稿台内方へ突出させる。突出後、押さえ部材を回動させて押さえ部と原稿台との間に間隙を形成し、その間隙内に原稿の一端部を挿入するとともにその一端部を基準部に当接させ、原稿の位置決めを行い、その状態で押さえ部材の操作を止めれば、押さえ部は、位置決めされた原稿を原稿台上へ押さえる。
【００１１】
原稿がブック状の厚手のものである場合には、押さえ部材を第１位置から第２位置へ移動させて、押さえ部を引っ込ませ、押さえ部は基準部の一部をなして、原稿の位置決めをなす。
【００１２】
これにより、操作性を向上して原稿を位置決めされた位置に確実に押さえ、また、発揮する機能は押さえる機能だけでなく、更に、省スペース化も果たすことができる。
【００１３】
【実施例】
以下、本発明に係る画像記録装置の原稿位置決め装置の一実施例を図１乃至図１１に基づき説明する。
【００１４】
図１１に示すように、複写機（画像記録装置）１２の上面に透明なプラテンガラス（原稿台）１４が嵌められ、プラテンガラス１４の一端部において、端縁に沿って、本実施例に係る原稿位置決め装置１６が設けられる。
【００１５】
複写機１２では、プラテンガラス１４の下方に感光材料を対向配置し、プラテンガラス１４と感光材料との間に両者に沿って露光ユニットを走らせて、プラテンガラス１４上に載置されてプラテンカバー２０で覆われた原稿１８に光を照射し、原稿１８の画像を反射光で感光材料に走査露光する。露光後、受像紙（受像材料）をマガジンから供給して搬送してそれを感光材料と重ね合わせて熱現像転写し、その後、受像紙を感光材料から剥離させてなる。
【００１６】
図１乃至図４に示すように、プラテンガラス１４の端縁１５に沿って、複写機１２のフレーム２２上に、ベースプレート２４（第１部材）が設けられる。ベースプレート２４は、プラテンガラス１４の端縁長さ寸法に渡る長板状とされ、金属製が可能である。ベースプレート２４の長手方向両端部には、第１取付孔２６、３０が形成される。
【００１７】
第１取付孔２６、３０内にはそれぞれ上側から第１取付ボルト３４が挿入される。第１取付ボルト３４は、フレーム２２に形成された第１雌ねじ３６に螺合締め付けられ、ベースプレート２４の取り付けをなす。
【００１８】
ベースプレート２４上には、位置決めプレート（位置決め部材としての第２部材）３８が設けられる。位置決めプレート３８は、ベースプレート２４と対向してその長手方向寸法に渡る長板状とされ、合成樹脂製が可能である。
【００１９】
位置決めプレート３８上面には、この長手方向中央部に、位置決めプレート３８幅方向（位置決めプレート３８長手方向と直角の方向）両側に渡る矩形の凹所４０が形成される。
【００２０】
また、位置決めプレート３８には、その凹所４０を介して位置決めプレート３８長手方向左右両側に、第２取付孔４２が形成される。第２取付孔４２は、位置決めプレート３８長手方向へ長い長孔とされる。その第２取付孔４２に対応してベースプレート２４には、第２雌ねじ４４が形成される。第２取付孔４２内には上側から第２取付ボルト４６が挿入され、第２取付ボルト４６は第２雌ねじ４４に螺合締め付けられて、位置決めプレート３８の取り付けをなす。
【００２１】
図７に示すように、位置決めプレート３８のプラテンガラス１４の縁に沿った部分は、下側に、空隙６２を備え、空隙６２内に、プラテンガラス１４の縁部を入り込ませ、空隙６２の上側の部分が、基準部６０とされる。基準部６０には、位置決めプレート３８長手方向に沿って、図示を省略する基準線が刻印されており、原稿１８の一端部を基準部６０に当接させることにより、原稿１８の縦横を位置決めすることができる。
【００２２】
位置決めプレート３８の凹所４０内には、押さえプレート（押さえ部材）５２が設けられる。押さえプレート５２は、合成樹脂製が可能であり、位置決めプレート３８幅方向に沿って（プラテンガラス１４のガラス面に沿って）直線的に矢印Ｄの向きへ移動自在とされる。押さえプレート５２の先端部は押さえ部５３とされて押さえ部５３は、プラテンガラス１４内方へ突出して前進した第１位置（図９、図１０に示す位置）と、基準部６２へ引っ込んで後退した第２位置（図８に示す位置）とを得る。図３には、押さえ部５３が基準部６０と同一面とされて基準部６０の一部をなす第２位置と、基準部６０から突出した第１位置との両者を鎖線で示す。
【００２３】
押さえプレート５２には、この移動方向中間部に、脚部５４が垂下され、脚部５４には、押さえプレート５２移動方向から見て左右両側にピン凸５６が突出される。ピン凸５６に対応して、凹所４０の側壁５９には、案内凹５８が形成される。図５及び図６に示すように、案内凹５８は、位置決めプレート３８幅方向に延び、ピン凸５６が案内凹５８内に嵌合して位置決めプレート３８の脱落が防止され、また、ピン凸５６が案内凹５８内をこの延設方向に移動することにより、押さえプレート５２の移動を案内する。なお、位置決めプレート３８上面には、押さえプレート５２の第１位置と第２位置との間の移動領域外で、位置決めプレート３８を凹所４０内に装着するときにピン凸５６を案内凹５８に導入するために、案内凹５８と連通する導入口５７が形成されている。
【００２４】
押さえプレート５２はピン凸５６を中心にして矢印Ｃの向きに（位置決めプレート３８長手方向線回りに）回動自在とされ、押さえ部５３がプラテンガラス１４のガラス面との対向方向に沿って（上下方向に）移動自在となる。押さえプレート５２の下面が、凹所４０の底６４からプラテンガラス１４側の端部で立ち上げられた凸部６５と当接することにより、押さえ部５３の下方への移動を阻止すべくそれに対応する押さえプレート５２の回動が阻止される。その阻止される回動位置は、押さえ部５３がプラテンガラス１４のガラス面と当接する程度である。押さえプレート５２の第２位置では、押さえプレート５２の後退側の端部が、これに対応して凹所４０の底６４から凸部６５の形成端部と反対側の端部で立ち上げられた凸部６２と当接して、押さえ部５３の上方への移動を阻止すべくそれに対応する押さえプレート５２の回動を阻止する。押さえプレート５２を第２位置から第１位置へ移動すれば、押さえプレート５２の後退側の端部は凸部６２と離脱して、押さえ部５３の上方への移動を許容すべくそれに対応する押さえプレート５２の回動を許容する。
【００２５】
押さえプレート５２と凹所４０の底６４との間には、板ばね（付勢部材）６６が介在される。板ばね６６は、一端部が、上記脚部５４の下面にボルト止めされ、他端部が自由端とされて下方へ半円状に屈曲される。この屈曲された屈曲部６７に対応して、凹部４０の底６４には、係合ブロック７１が突出され、係合ブロック７１には、第１係合凹７０、第２係合凹６８が押さえプレート５２移動方向に沿って所定間隔をおいて形成される。屈曲部６７は、押さえプレート５２の第１位置で、押さえプレート５２前進側の第１係合凹７０内に係合し（図９を参照）、第２位置で、押さえプレート５２後退側の第２係合凹６８内に係合する（図１０を参照）。板ばね６６は、押さえ部５３を下方へ移動させる方向へ押さえプレート５２を回動付勢し（図１０の実線位置から鎖線位置へ回動付勢し）、同時に、板ばね６６の屈曲部６７を第１係合凹７０又は第２係合凹６８に係合すべく保持する。すなわち、押さえプレート５２を第２位置から第１位置へ移動させるには、板ばね６６を弾性的に撓み変形させて屈曲部６７を第１係合凹７０と第２係合凹６８との間を越えるようにする必要がある。これは、押さえプレート５２の移動操作にあたって、節度感も与える。
【００２６】
なお、第１係合凹７０、第２係合凹６８と板ばね６６の屈曲部６７とは、保持手段を構成する。
【００２７】
次に、上記構成について、作用を説明する。
まず、原稿１８がシート状の薄手のものである場合には、押さえプレート５２を第２位置から第１位置へ移動させて押さえ部５３をプラテンガラス１４内方へ突出させる（図９を参照）。突出後、押さえプレート５２の後退側の端部を下方へ押し、板ばね６６の付勢力に抗して押さえプレート５２を回動させて（図１０の鎖線の位置から実線の位置に回動させて）押さえ部５３とプラテンガラス１４のガラス面との間に間隙を形成し、その間隙内に原稿１８の一端部を挿入するとともにその一端部を基準部６０に当接させて原稿１８の位置決めを行う。その状態で押さえプレート５２の押圧操作を止めれば、板ばね６６の付勢力で、押さえ部５３が図１０の鎖線位置を得て、その押さえ部５３で原稿１８がプラテンガラス１４のガラス面に押さ付けられる。
【００２８】
原稿１８がブック状の厚手のものである場合には、押さえプレート５２を第１位置から第２位置へ移動させて押さえ部５３を引っ込ませる。これにより、厚手の原稿１８の載置には障害とならない。押さえ部５３は基準部６０まで引っ込んで、基準部６０の一部をなし、押さえ部５３を含めて基準部６０に原稿１８の一端部を当接させて、原稿１８の位置決めを行うことが可能である。
【００２９】
押さえプレート５２の操作は第１位置と第２位置との間の直線移動と、第１位置での回動だけでよく、移動領域が小さくて、原稿１８を所定位置に確実に押さえることができる。また、押さえプレート５２は、原稿１８がシート状のような場合にそれを押さえる機能だけでなく、原稿１８がブック状のような場合には基準部６０の一部をなし基準部６０としての機能も果たし、更に、押さえプレート５２の設置スペースをただそれだけのために特に設ける必要はない。なお、押さえプレート５２の押さえ部５３は、基準部６０の一部をなすだけであるので、押さえプレート５２が第１位置へ突出したときにも、本来の基準部６０が位置決め機能を十分果たし、位置決め機能が損なわれることはない。
【００３０】
これにより、操作性を向上して原稿を位置決めされた位置に確実に押さえ、また、発揮する機能は押さえる機能だけでなく、更に、省スペース化も果たすことができる。
【００３１】
本発明は上記実施例に限定されるものではなく種々の変更が可能である。例えば、画像記録装置は、上記実施例の複写機に限定されず、更に、画像記録材料も受像材料に限定されない。
【００３２】
また、位置決め部材、支持手段、保持手段も上記実施例に限定されるものではない。
【００３３】
【発明の効果】
以上に説明したように、本発明の画像記録装置の原稿押さえ装置によれば、操作性を向上して原稿を位置決めされた位置に確実に押さえ、また、発揮する機能は押さえる機能だけでなく、更に、省スペース化も果たすことができる。
【図面の簡単な説明】
【図１】本発明に係る画像記録装置の原稿押さえ装置の一実施例を示す分解斜視図である。
【図２】ベースプレートを取り付けた状態を示す平面図である。
【図３】位置決めプレートを取り付けた状態を示す平面図である。
【図４】図３の４−４線端面図である。
【図５】図３の５−５線端面図である。
【図６】図３の６−６線端面図である。
【図７】図３の７−７線端面図である。
【図８】図３の８−８線端面図である。
【図９】押さえプレートの操作過程を示す図８に対応する図である。
【図１０】押さえプレートの次の操作過程を示す図８に対応する図である。
【図１１】複写機の概観斜視図である。
【符号の説明】
１２  複写機（画像記録装置）
１４  プラテンガラス（原稿台）
１６  原稿位置決め装置
１８  原稿
２２  フレーム
３８  位置決めプレート（位置決め部材）
５２  押さえプレート（押さえ部材）
５６  ピン凸（支持手段）
５８  案内凹（支持手段）
６０  基準部
６６  板ばね（付勢手段）
６７  屈曲部（保持手段）
６８  第２係合凹（保持手段）
７０  第１係合凹（保持手段）
【図１】
0003592390.tif 000002
【図２】
0003592390.tif 000003
【図３】
0003592390.tif 000004
【図４】
0003592390.tif 000005
【図５】
0003592390.tif 000006
【図６】
0003592390.tif 000007
【図７】
0003592390.tif 000008
【図８】
0003592390.tif 000009
【図９】
0003592390.tif 000010
【図１０】
0003592390.tif 000011
【図１１】
0003592390.tif 000012